(57)【特許請求の範囲】
【請求項１】
圧縮機を備えた機械室が下方に、熱交換器を備えた熱交換器室が上方にそれぞれ配置され、これらの両室がドレンパンにより仕切られて設けられた熱交換器ユニットにおいて、上記ドレンパンにはこのユニットの外部に臨む排水孔を設け、この排水孔が臨んだ下方の機械室の外装パネルは両側に位置し左右で一対のコーナーパネルと、この一対のコーナーパネルの間に位置するサイドパネルとから構成され、この一対のコーナーパネルのお互いに向かい合う内側には折り曲げ加工による凹部を形成し、この一対のコーナーパネルの凹部に跨るように前記サイドパネルを配置すると共に、このサイドパネルの両側縁と前記一対のコーナーパネルの凹部との間で且つ前記排水孔の下方に位置する隙間を設けて、この隙間を上記排水孔からの水を導く通水路としたことを特徴とする熱交換器ユニット。
【発明の詳細な説明】
【０００１】
【発明の属する技術分野】
本発明は、空気調和装置の熱交換器ユニットに関する。
【０００２】
【従来の技術】
図５に示すガスヒートポンプ式空気調和装置の室外機１は、圧縮機を備えた機械室２が下方に、熱交換器を備えた熱交換器室３が上方にそれぞれ配置され、これら機械室２と熱交換器室３がドレンパン４により仕切られて構成される。
【０００３】
機械室２を構成する外装パネル５は、図６に示すように、サイドパネル６の両側にコーナーパネル７が配置されて構成される。また、熱交換器室３を構成する外装パネル８も、上記外装パネル５と同様に、サイドパネル９及びコーナーパネル１０を有して構成される。
【０００４】
熱交換器室３のサイドパネル９には、ドレンパン４のドレンパン排出孔に連通してパネル排水孔１１が形成される。ドレンパン４に溜まった凝縮水や雨水は、ドレンパン排水孔からパネル排水孔１１へ流れて排出される。
【０００５】
【発明が解決しようとする課題】
上述のように、凝縮水や雨水などの汚水が熱交換器室３の外装パネル８におけるパネル排水孔１１から排出されることから、下方に位置する機械室２の外装パネル５には、広い範囲に亘って上記汚水１２が流れ落ちることになる。このため、機械室２の外装パネル５全体が汚水１２によって汚れてしまい、室外機１の外観の美感が低下してしまう。
【０００６】
本発明は、上述の事情を考慮してなされたものであり、外観の美感を向上させることができる熱交換器ユニットを提供することにある。
【０００７】
【課題を解決するための手段】
この目的を達成するために、請求項１記載の発明は、圧縮機を備えた機械室が下方に、熱交換器を備えた熱交換器室が上方にそれぞれ配置され、これらの両室がドレンパンにより仕切られて設けられた熱交換器ユニットにおいて、上記ドレンパンにはこのユニットの外部に臨む排水孔を設け、この排水孔が臨んだ下方の機械室の外装パネルは両側に位置し左右で一対のコーナーパネルと、この一対のコーナーパネルの間に位置するサイドパネルとから構成され、この一対のコーナーパネルのお互いに向かい合う内側には折り曲げ加工による凹部を形成し、この一対のコーナーパネルの凹部に跨るように前記サイドパネルを配置すると共に、このサイドパネルの両側縁と前記一対のコーナーパネルの凹部との間で且つ前記排水孔の下方に位置する隙間を設けて、この隙間を上記排水孔からの水を導く通水路としたことを特徴とする。
【００１０】
請求項１に記載の発明には、次の作用がある。
【００１１】
機械室を構成する外装パネルに、ドレンパンの排水孔からの水を導く通水路が形成されたことから、ドレンパンに溜まった凝縮水または雨水は、このドレンパンの排水孔から、機械室の外装パネルにおける通水路を通って流れ落ちる。このため、凝縮水や雨水によって機械室の外装パネルにおける通水路のみが汚れ、この機械室の外装パネル全体が汚れることを防止できるので、熱交換器ユニットの外観の美感を向上させることができる。
【００１２】
【発明の実施の形態】
以下、本発明の実施の形態を、図面に基づき説明する。
【００１３】
図１は、本発明に係る熱交換器ユニットの一実施の形態が適用されたガスヒートポンプ式空気調和装置の室外機を、一部を破断して示す斜視図である。
【００１４】
ガスヒートポンプ式空気調和装置における熱交換器ユニットとしての室外機２０は、図示しない圧縮機やガスエンジン等を内蔵した機械室２１が下方に、熱交換器２２及び送風機２３等を内蔵した熱交換器室２４が上方にそれぞれ配置され、機械室２１と熱交換器室２４とがドレンパン２５により仕切られて構成される。また、機械室２１の下端部にベース部材２６が設置されて、このベース部材２６により機械室２１が支持される。
【００１５】
上記熱交換器室２４においては、熱交換器２２が対向する側面に配置され、この熱交換器２２に直交する位置に外装パネル２７が配置される。この外装パネル２７は、サイドパネル２８の両側にコーナーパネル２９が配置されて設けられ、熱交換器室２４を構成する。
【００１６】
また、機械室２１を構成する外装パネル３０は、外装パネル２７の下方に設置される。この外装パネル３０も外装パネル２７と同様に、図４に示すように、サイドパネル３１の両側にコーナーパネル３２が配置されて構成される。
【００１７】
上記ドレンパン２５は、図３に示すように略平板形状に形成され、側縁部が立設して構成される。この立設面３３のうち、熱交換器室２４の外装パネル２７に対応する立設面３３に、ドレン水３９（後述）を排出するドレンパン排水孔３４が形成されている。また、ドレンパン２５の平坦面３５に配管孔３６が配設される。機械室２１から熱交換器室２４へ延びる配管（不図示）が、上記配管孔３６内に挿通される。
【００１８】
さて、図２に示すように、熱交換器室２４の外装パネル２７（本実施の形態ではコーナーパネル２９）には、ドレンパン２５のドレンパン排水孔３４に連通するパネル排水孔３７が開口されている。そして、機械室２１における外装パネル３０には、上記パネル排水孔３７に連通して、ドレンパン２５からのドレン水３９を導く通水路３８が形成されている。
【００１９】
この通水路３８は、図４に示すように、折り曲げ加工されたサイドパネル３１及びコーナーパネル３２に区画されて、室外機２０の鉛直下方に延在して形成される。
更に詳述すれば、ユニット２０の外部に臨む排水孔３４（図２参照）が臨んだ下方の機械室の外装パネルは両側に位置し左右で一対のコーナーパネル３２と、この一対のコーナーパネル３２の間に位置するサイドパネル３１とから構成され、この一対のコーナーパネル３２のお互いに向かい合う内側には折り曲げ加工による凹部を形成し、一対のコーナーパネル３２の凹部に跨るように前記サイドパネル３１を配置すると共に、このサイドパネル３１の両側縁と一対のコーナーパネル３２の凹部との間で且つ排水孔３４の下方に位置する隙間（パネル排水孔３７）を設けて、この隙間を排水孔３４からのドレン水３８を導く通水路３８とした。
【００２０】
熱交換器２２や送風機２３の隙間から熱交換器室２４内に侵入した雨水はドレンパン２５に溜まる。また、室外機２０が冷却器として機能したときに熱交換器２２に生じた凝縮水もドレンパン２５に溜まる。これらの雨水や凝縮水はドレン水３９となり、塵埃等が混入されて汚水となる。このドレン水３９は、ドレンパン２５からドレンパン排水孔３４及びパネル排水孔３７を経て、外装パネル３０の通水路３８を流れ落ち排出される。
【００２１】
従って、上記実施の形態によれば、次の効果を奏する。
【００２２】
機械室２１を構成する外装パネル３０に、ドレンパン２５のドレンパン排水孔３４からのドレン水３９を、パネル排水孔３７を経て導く通水路３８が形成されたことから、ドレンパン２５に溜まった凝縮水又は雨水などのドレン水３９は、このドレンパン２５のドレンパン排水孔３４から、外装パネル２７のパネル排水孔３７を経て、外装パネル３０における通水路３８を通り流れ落ちる。このため、塵埃が混入されて汚水となったドレン水３９によって機械室２１の外装パネル３０における通水路３８のみが汚れ、この機械室２１の外装パネル３０全体が汚れることを防止できるので、室外機２０の外観の美感を向上させることができる。
【００２３】
以上、本発明を上記実施の形態に基づいて説明したが、本発明はこれに限定されるものではない。
【００２４】
例えば、熱交換器室２４のパネル排水孔３７は、外装パネル２７のサイドパネル２８に形成されても良い。
【００２５】
【発明の効果】
以上のように、本発明に係る熱交換器ユニットによれば、機械室と熱交換器室とがドレンパンにより仕切られ、機械室を構成する外装パネルに、ドレンパンの排水孔からの水を導く通水路が形成されたことから、この通水路のみが汚れ、機械室の外装パネル全体が汚れることを防止できるので、熱交換器ユニットの外観の美感を向上させることができる。
【図面の簡単な説明】
【図１】本発明に係る熱交換器ユニットの一実施の形態が適用されたガスヒートポンプ式空気調和装置の室外機を、一部を破断して示す斜視図である。
【図２】図１のII矢視図である。
【図３】図１のドレンパンを示す斜視図である。
【図４】図２のIV−IV線に沿う断面図である。
【図５】従来のガスヒートポンプ式空気調和装置における室外機を示す側面図である。
【図６】図５のVI−VI線に沿う断面図である。
【符号の説明】
２０  室外機（熱交換器ユニット）
２１  機械室
２２  熱交換器
２４  熱交換器室
２５  ドレンパン
３０  外装パネル
３１  サイドパネル
３２  コーナーパネル
３４  ドレンパン排水孔
３７  パネル排水孔
３８  通水路
３９  ドレン水
【図１】
0003920519.tif 000002
【図２】
0003920519.tif 000003
【図３】
0003920519.tif 000004
【図４】
0003920519.tif 000005
【図５】
0003920519.tif 000006
【図６】
0003920519.tif 000007